(57)【要約】      （修正有）【課題】鶏卵パック及びフードパッケージの開封時に手指を怪我することなく、安全で容易に切断できる鶏卵パック及びフードパッケージ開封器を提供する。【解決手段】本体１に取っ手部３と切断溝４を設け、切断溝４の開口部にカッター刃２を取り付け、切断部５を設ける。使用するときは、フードパッケージの開口部またはマチ部に切断溝４を差し込み、切断部５を当て、取っ手部３を手でつまんでスライドさせれば、切り口で手指を怪我することなく、フードパッケージを安全で容易に切断し開封できる。【選択図】図１
0003180842.tif 000002
【実用新案登録請求の範囲】
【請求項１】
本体（１）に取っ手部（３）と切断溝（４）を設け、カッター刃（２）を交叉して取り付けたことを特長とする鶏卵パック及びフードパッケージ開封器。
【請求項２】
本体（１）に取っ手部（３）と切断溝（４）を設け、カッター刃（２）を取り付けたことを特長とする鶏卵パック及びフードパッケージ開封器。
【考案の詳細な説明】
【技術分野】
【０００１】本考案は鶏卵パック及びフードパッケージを開封するときに利用される鶏卵パック及びフードパッケージ開封器に関する。
【背景技術】
【０００２】従来、鶏卵パック及びフードパッケージは素手またははさみやカッターナイフで開封していた。これは、鶏卵パック及びフードパッケージの多くが、Ａ−ＰＥＴ（アモルファス）、ＰＰフィラー（ポリエチレン、ポリプロピレン、カルシウム）、ポリスチレンなどの樹脂系化合物で製造されているため硬く、また多くが閉じ口を熱でヒートシールされているので、開封しづらく、また切り口で手指を怪我するなどの欠点があった。
なお、鶏卵パックについては、マチ部にミシン目を入れたものがある（例えば、非特許文献１参照。）が、鶏卵パックの強度が弱くなる、物に引っかかった際破れる等の問題もあり、使用されているものも全体の一部である。
【先行技術文献】
【非特許文献】
【０００３】
【非特許文献１】「株式会社栗原製作所  鶏卵パックカタログ  ２００８年８月５日」
【考案の概要】
【考案が解決しようとする課題】
【０００４】本考案はこのような問題点を解決するべく、鶏卵パック及びフードパッケージを安全で容易に切断し開封できる鶏卵パック及びフードパッケージ開封器を提供することを目的とする。
【課題を解決するための手段】
【０００５】本考案は本体１に取っ手部３と切断溝４を設け、カッター刃２を取り付け、切断部５を設けたものである。
【考案の効果】
【０００６】本考案によれば、鶏卵パック及びフードパッケージの切断箇所に直接手を触れずに、鶏卵パック及びフードパッケージの開口部またはマチ部に本考案の切断溝４を差し込み、切断部５を当て、取っ手部３を手でつまんでスライドさせれば、切り口で手指を怪我することなく、鶏卵パック及びフードパッケージを安全で容易に切断し開封できる。
【図面の簡単な説明】
【０００７】
【図１】本考案の斜視図である。
【図２】本考案の底面図である。
【図３】本考案の斜視図である。
【図４】カッター刃２の一部を切り欠いた説明図である。
【図５】本考案の一部を切り欠いた説明図である。
【考案を実施するための形態】
【０００８】本考案は本体１に取っ手部３と切断溝４を設け、カッター刃２を取り付け、切断部５を設けたものである。
【実施例１】
【０００９】本体１に取っ手部３と切断溝４を設け、カッター刃２を取り付け、切断部５を設ける。本考案は以上のような構造で、これを使用するときは、鶏卵パック及びフードパッケージの開口部またはマチ部に本考案の切断溝４を差し込み、切断部５を当て、取っ手部３を手でつまんでスライドさせれば、切り口で手指を怪我することなく、鶏卵パック及びフードパッケージを安全で容易に切断し開封できる。
【実施例２】
【００１０】本考案のカッター刃２は図４に示すとおり片面が平らになっている。これはカッター刃２を２枚交叉させるため、切断部５に隙間を作らないためである。また、カッター刃２の両側に刃を作れば、切断溝４の前後どちら側からでも切断できる。
【実施例３】
【００１１】本考案のカッター刃２はＸ字状またはＵ字状またはＶ字状に成型された１枚刃等でも代用でき、また、複数枚使用することも可能である。
【産業上の利用可能性】
【００１２】本考案は鶏卵パック及びフードパッケージを安全で容易に切断して開封でき、家庭内や飲食店等で利用できる。
【符号の説明】
【００１３】１  本体
２  カッター刃
３  取っ手部
４  切断溝
５  切断部
【図１】
0003180842.tif 000003
【図２】
0003180842.tif 000004
【図３】
0003180842.tif 000005
【図４】
0003180842.tif 000006
【図５】
0003180842.tif 000007
【手続補正書】
【提出日】平成24年8月24日(2012.8.24)
【手続補正１】
【補正対象書類名】実用新案登録請求の範囲
【補正対象項目名】全文
【補正方法】変更
【補正の内容】
【実用新案登録請求の範囲】
【請求項１】
本体（１）に取っ手部（３）と切断溝（４）を設け、切断溝（４）の下部にカッター刃（２）を交叉して取り付け、切断部（５）を設けたことを特長とするフードパッケージ開封器。
【請求項２】
本体（１）に取っ手部（３）と切断溝（４）を設け、切断溝（４）の下部にカッター刃（２）を取り付け、切断部（５）を設けたことを特長とするフードパッケージ開封器。
【手続補正２】
【補正対象書類名】明細書
【補正対象項目名】全文
【補正方法】変更
【補正の内容】
【考案の詳細な説明】
【技術分野】
【０００１】本考案はフードパッケージを開封するときに利用されるフードパッケージ開封器に関する。
【背景技術】
【０００２】従来、フードパッケージは素手またははさみやカッターナイフで開封していた。これは、フードパッケージの多くが、Ａ−ＰＥＴ（アモルファス）、ＰＰフィラー（ポリエチレン、ポリプロピレン、カルシウム）、ポリスチレンなどの樹脂系化合物で製造されているため硬く、また多くが閉じ口を熱でヒートシールされているので、開封しづらく、また切り口で手指を怪我するなどの欠点があった。なお、鶏卵パックについては、マチ部にミシン目を入れたものがある（例えば、非特許文献１参照。）が、鶏卵パックの強度が弱くなる、物に引っかかった際破れる等の問題もあり、使用されているものも全体の一部である。
【先行技術文献】
【非特許文献】
【０００３】
【非特許文献１】「株式会社栗原製作所  鶏卵パックカタログ  ２００８年８月５日」
【考案の概要】
【考案が解決しようとする課題】
【０００４】本考案はこのような問題点を解決するべく、フードパッケージを安全で容易に切断し開封できるフードパッケージ開封器を提供することを目的とする。
【課題を解決するための手段】
【０００５】本考案は本体１に取っ手部３と切断溝４を設け、切断溝４の下部にカッター刃２を取り付け、切断部５を設けたものである。
【考案の効果】
【０００６】本考案によれば、フードパッケージの切断箇所に直接手を触れずに、フードパッケージの開口部またはマチ部に本考案の切断溝４を差し込み、切断部５を当て、取っ手部３を手でつまんでスライドさせれば、切り口で手指を怪我することなく、フードパッケージを安全で容易に切断し開封できる。
【図面の簡単な説明】
【０００７】
【図１】本考案の斜視図である。
【図２】本考案の底面図である。
【図３】本考案の斜視図である。
【図４】カッター刃２の一部を切り欠いた説明図である。
【図５】本考案の一部を切り欠いた説明図である。
【考案を実施するための形態】
【０００８】本考案は本体１に取っ手部３と切断溝４を設け、切断溝４の下部にカッター刃２を取り付け、切断部５を設けたものである。
【実施例１】
【０００９】本体１に取っ手部３と切断溝４を設け、切断溝４の下部にカッター刃２を取り付け、切断部５を設ける。本考案は以上のような構造で、これを使用するときは、フードパッケージの開口部またはマチ部に本考案の切断溝４を差し込み、切断部５を当て、取っ手部３を手でつまんでスライドさせれば、切り口で手指を怪我することなく、フードパッケージを安全で容易に切断し開封できる。
【実施例２】
【００１０】本考案のカッター刃２は図４に示すとおり片面が平らになっている。これはカッター刃２を２枚交叉させるため、切断部５に隙間を作らないためである。また、カッター刃２の両側に刃を作れば、切断溝４の前後どちら側からでも切断できる。
【実施例３】
【００１１】本考案のカッター刃２はＸ字状またはＵ字状またはＶ字状に成型された１枚刃等でも代用でき、また、複数枚使用することも可能である。
【産業上の利用可能性】
【００１２】本考案はフードパッケージを安全で容易に切断して開封でき、家庭内や飲食店等で利用できる。
【符号の説明】
【００１３】１  本体２  カッター刃３  取っ手部４  切断溝５  切断部
【手続補正書】
【提出日】平成24年10月19日(2012.10.19)
【手続補正１】
【補正対象書類名】実用新案登録請求の範囲
【補正対象項目名】全文
【補正方法】変更
【補正の内容】
【実用新案登録請求の範囲】
【請求項１】
本体（１）に取っ手部（３）と切断溝（４）を設け、切断溝（４）の開口部にカッター刃（２）を交叉して取り付け、切断部（５）を設けたことを特長とするフードパッケージ開封器。
【請求項２】
本体（１）に取っ手部（３）と切断溝（４）を設け、切断溝（４）の開口部にカッター刃（２）を取り付け、切断部（５）を設けたことを特長とするフードパッケージ開封器。
【手続補正２】
【補正対象書類名】明細書
【補正対象項目名】全文
【補正方法】変更
【補正の内容】
【考案の詳細な説明】
【技術分野】
【０００１】本考案はフードパッケージを開封するときに利用されるフードパッケージ開封器に関する。
【背景技術】
【０００２】従来、フードパッケージは素手またははさみやカッターナイフで開封していた。
これは、フードパッケージの多くが、Ａ−ＰＥＴ（アモルファス）、ＰＰフィラー（ポリエチレン、ポリプロピレン、カルシウム）、ポリスチレンなどの樹脂系化合物で製造されているため硬く、また多くが閉じ口を熱でヒートシールされているので、開封しづらく、また切り口で手指を怪我するなどの欠点があった。
なお、鶏卵パックについては、マチ部にミシン目を入れたものがある（例えば、非特許文献１参照。）が、鶏卵パックの強度が弱くなる、物に引っかかった際破れる等の問題もあり、使用されているものも全体の一部である。
【先行技術文献】
【非特許文献】
【０００３】
【非特許文献１】「株式会社栗原製作所  鶏卵パックカタログ  ２００８年８月５日」
【考案の概要】
【考案が解決しようとする課題】
【０００４】本考案はこのような問題点を解決するべく、フードパッケージを安全で容易に切断し開封できるフードパッケージ開封器を提供することを目的とする。
【課題を解決するための手段】
【０００５】本考案は本体１に取っ手部３と切断溝４を設け、切断溝４の開口部にカッター刃２を取り付け、切断部５を設けたものである。
【考案の効果】
【０００６】本考案によれば、フードパッケージの切断箇所に直接手を触れずに、フードパッケージの開口部またはマチ部に本考案の切断溝４を差し込み、切断部５を当て、取っ手部３を手でつまんでスライドさせれば、切り口で手指を怪我することなく、フードパッケージを安全で容易に切断し開封できる。
【図面の簡単な説明】
【０００７】
【図１】本考案の斜視図である。
【図２】本考案の底面図である。
【図３】本考案の斜視図である。
【図４】カッター刃２の一部を切り欠いた説明図である。
【図５】本考案の一部を切り欠いた説明図である。
【考案を実施するための形態】
【０００８】本考案は本体１に取っ手部３と切断溝４を設け、切断溝４の開口部にカッター刃２を取り付け、切断部５を設けたものである。
【実施例１】
【０００９】本体１に取っ手部３と切断溝４を設け、切断溝４の開口部にカッター刃２を取り付け、切断部５を設ける。本考案は以上のような構造で、これを使用するときは、フードパッケージの開口部またはマチ部に本考案の切断溝４を差し込み、切断部５を当て、取っ手部３を手でつまんでスライドさせれば、切り口で手指を怪我することなく、フードパッケージを安全で容易に切断し開封できる。
【実施例２】
【００１０】本考案のカッター刃２は図４に示すとおり片面が平らになっている。これはカッター刃２を２枚交叉させるため、切断部５に隙間を作らないためである。また、カッター刃２の両側に刃を作れば、切断溝４の前後どちら側からでも切断できる。
【実施例３】
【００１１】本考案のカッター刃２はＸ字状またはＵ字状またはＶ字状に成型された１枚刃等でも代用でき、また、複数枚使用することも可能である。
【産業上の利用可能性】
【００１２】本考案はフードパッケージを安全で容易に切断して開封でき、家庭内や飲食店等で利用できる。
【符号の説明】
【００１３】１  本体
２  カッター刃
３  取っ手部
４  切断溝
５  切断部